(57)【特許請求の範囲】
【請求項１】
一時ブロックフロー（ＴＢＦ）の遅延解放方法であって、
ネットワーク側が、移動端末（ＭＳ）とのＴＢＦ接続を確立し、パケットサービスデータを送信するステップと、
前記ネットワーク側が、前記ＴＢＦ接続が担うパケットサービスの種類を確認するステップと、
前記ネットワーク側が、確認した前記パケットサービスの種類に従って前記ＴＢＦ接続の遅延解放時間ｔを設定するステップと、
前記ＴＢＦ接続がダウンリンクＴＢＦ接続の場合、前記ネットワーク側が、前記ダウンリンクＴＢＦ接続を介して前記ＭＳに前記パケットサービスデータを送信するステップと、
前記ネットワーク側が、データ送信処理において前記ＴＢＦ接続が担う前記パケットサービスの前記種類が変更するかどうか確認し、変更があった場合、前記ＴＢＦ接続が担う前記パケットサービスの前記種類の変更後の、変更されたパケットサービスの前記種類に従って前記ＴＢＦ接続の前記遅延解放時間ｔをリセットするステップと、
前記ＴＢＦ接続を通じたデータ送信完了後、前記ネットワーク側が、前記ＴＢＦ接続を遅延解放ステートに入れるステップと、
前記ＴＢＦ接続の前記遅延解放ステートの継続時間が前記ｔに達した場合、前記ネットワーク側が、前記ＴＢＦ接続を解放するステップと
を具備する方法。
【請求項２】
前記ＴＢＦ接続が担う前記パケットサービスの前記種類は、インスタントメッセージサービス、ワールドワイドウェブ（World Wide Web）サービス、オンラインストリーミングサービス、およびファイル転送プロトコルサービスのうちの少なくとも１つである、請求項１に記載の方法。
【請求項３】
前記ＴＢＦ接続が担う前記パケットサービスの前記種類に従って、前記ＴＢＦ接続のための対応する遅延解放時間ｔを設定するステップは、
前記ファイル転送プロトコルサービスに対応するＴＢＦ接続の遅延解放時間ｔよりも短い、前記インスタントメッセージサービスに対応するＴＢＦ接続の遅延解放時間ｔを具備する請求項２に記載の方法。
【請求項４】
一時ブロックフロー（ＴＢＦ）の遅延解放装置であって、
ＴＢＦ接続が所定の条件を満足した場合、前記ＴＢＦ接続の遅延解放時間として前記条件に対応する遅延解放時間ｔを設定するように構成され、前記所定の条件は、前記ＴＢＦ接続が担うパケットサービスの種類である設定モジュールと、
前記ＴＢＦ接続を介したデータ送信完了後、前記ＴＢＦ接続を遅延解放ステートに入れるように構成されるステートモジュールと、
前記ＴＢＦ接続の前記遅延解放ステートの継続時間が前記ｔに達した場合、前記ＴＢＦ接続を解放するように構成された解放モジュールと
を具備し、
前記設定モジュールは、前記ＴＢＦ接続が担う前記種類の変更後の、変更されたパケットサービスの種類に従って、前記ＴＢＦ接続の前記遅延解放時間ｔを変更するようにさらに構成される装置。
【請求項５】
前記パケットサービスの前記種類は、インスタントメッセージサービス、ワールドワイドウェブ（World Wide Web）サービス、オンラインストリーミングサービス、およびファイル転送プロトコルサービスのうちの少なくとも１つである請求項４に記載の装置。
【請求項６】
前記インスタントメッセージサービスに対応するＴＢＦ接続のために前記設定モジュールによって設定される遅延解放時間ｔは、前記ファイル転送プロトコルサービスに対応するＴＢＦ接続のために前記設定モジュールによって設定される遅延解放時間ｔよりも短い、請求項５に記載の装置。
【請求項７】
請求項４から６のいずれか一項に記載の一時ブロックフロー（ＴＢＦ）の前記遅延解放装置を具備する、基地局コントローラ。
【請求項８】
コンピュータが読み取り可能な記憶メディア上にプログラムを有し、前記プログラムは、請求項１から３のいずれか一項に記載の方法を実行する、記憶媒体。
【発明の詳細な説明】
【技術分野】
【０００１】
本出願は、発明の名称を“METHOD AND APPARATUS FOR DELAYED RELEASE OF TEMPORARY BLOCK FLOW”として２０１０年１０月２９日に中国特許庁に出願された、中国特許出願第201010524989.8号の優先権を主張するものであり、これによりその全体が、参照として組み込まれる。
【０００２】
本発明は、無線通信技術の分野に関し、特に一時ブロックフローの遅延解放の方法及び装置に関する。
【背景技術】
【０００３】
現在、汎用パケット無線サービス（General Packet Radio Service：ＧＰＲＳ）技術は、無線通信ネットワークにおいて広く適用されてきた。ＧＰＲＳネットワークは、パケット交換（Packet Switch）技術を使用することによってパケットサービスのための端から端まで（end-to-end）のデータ送信を実行し、ユーザにウェブページのブラウジング、ファイルのダウンロード、およびオンラインゲームのようなより豊富なサービスの種類を提供する。
【０００４】
ＧＰＲＳシステムにおいて、一時ブロックフロー（Temporary Block Flow：ＴＢＦ）は移動端末（Mobile Station：ＭＳ）とネットワーク側との間の接続である。パケットサービスのデータはＴＢＦを介して、ＭＳとネットワーク側との間で送信され、ＴＢＦ接続はパケットデータ送信処理の間だけ存在する。
【０００５】
アップリンクまたはダウンリンクデータが送信されなかったとき、対応するＴＢＦ接続は、リソースを節約するためインアクティブ（inactive）ステートに入る。しかし、前記接続がまだ維持され、いくつかの情報が送信されることによって前記ＴＢＦ接続が解放されないことが保証される。遅延期間後、新しいパケットサービスデータが到着しない場合、ネットワーク側は対応するＴＢＦ接続を解放する。
【０００６】
先行技術には、上述の技術的解決策においていくらかのリソースが未だ浪費されているという不利益がある。
【発明の概要】
【発明が解決しようとする課題】
【０００７】
本発明の実施形態は、一時ブロックフローの遅延解放のための方法および装置を提供し、それによりネットワーク側の実際の要求を満足し、ネットワークリソースをより効率的に使用する。
【課題を解決するための手段】
【０００８】
本発明の実施形態は、以下の技術的解決策を使用することにより実行されてもよい。
【０００９】
一態様において、一時ブロックフローＴＢＦの遅延解放方法が提供され、前記方法は、
ＴＢＦ接続が所定の条件を満足する場合、前記ＴＢＦ接続の遅延解放時間として前記条件に対応する遅延解放時間ｔを設定するステップと、
前記ＴＢＦ接続を介したデータ送信の完了後、前記ＴＢＦ接続を遅延解放ステートに入れるステップと、
前記ＴＢＦ接続の遅延解放ステートの継続時間がｔに達した場合、ネットワーク側により前記ＴＢＦ接続を解放するステップとを含む。
【００１０】
一時ブロックフローＴＢＦの遅延解放装置が提供され、前記装置は、
ＴＢＦ接続が所定の条件を満足する場合、前記ＴＢＦ接続の遅延解放時間として前記条件に対応する遅延解放時間ｔを設定するように構成される設定モジュールと、
前記ＴＢＦ接続を介したデータ送信の完了後、前記ＴＢＦ接続を遅延解放ステートに入れるように構成されるステートモジュールと、
前記ＴＢＦ接続の遅延解放ステートの継続時間がｔに達した場合、前記ＴＢＦ接続を解放するように構成される解放モジュールとを含む。
【００１１】
本発明の実施形態において、異なる遅延解放時間が異なる条件に従ってＴＢＦ接続のために設定されてもよく、その結果、ネットワーク側の実際の要求をより満足し、ネットワークリソースをより効率的に使用することができる。
【図面の簡単な説明】
【００１２】
【図１】図１は、本発明の一実施形態に従ったＴＢＦの遅延解放方法の模式的なフローチャートである。
【図２】図２は、本発明の他の実施形態に従ったＴＢＦの遅延解放方法の模式的なフローチャートである。
【図３】図３は、本発明の他の実施形態に従ったＴＢＦの遅延解放方法の模式的なフローチャートである。
【図４】図４は、本発明の他の実施形態に従ったＴＢＦの遅延解放方法の模式的なフローチャートである。
【図５】図５は、本発明の一実施形態に従ったＴＢＦの遅延解放装置の模式的なブロック図である。
【発明を実施するための形態】
【００１３】
本発明の目的、技術的解決策、および利点をより明確にするため、本発明で提供される技術的解決策は、添付の図面および例示的な実施形態を参照して以下でさらに詳細に説明される。
【００１４】
図１を参照すると、ＴＢＦの遅延解放方法が一実施形態で提供され、以下のステップを含む。
【００１５】
Ｓ１０１：ＴＢＦ接続が所定の条件を満足する場合、ＴＢＦ接続の遅延解放時間として、前記条件に対応する遅延解放時間ｔを設定する。
【００１６】
ＴＢＦ接続が確立されたとき、ネットワーク側は所定の条件を満足するかどうか確認する。所定の条件を満足する場合、所定の条件に対応する遅延解放時間ｔを取得し、パラメータとして前記遅延解放時間ｔを取り、前記ＴＢＦ接続の遅延解放時間として前記遅延解放時間ｔを設定する。異なる条件が異なる遅延解放時間に対応してもよい。
【００１７】
一般的に、ＴＢＦ接続はネットワーク側とＭＳとの間のパケットサービスを担うために使用される。ＭＳとネットワーク側との間でデータが送信される必要があるとき、ＴＢＦ接続が確立される。ＴＢＦの確立手順はネットワーク側によって制御される。ネットワーク側はＭＳの要求に従って、またはコアネットワークによってフォワードされたプロトコルデータユニット（Protocol Data Unit：ＰＤＵ）に従って、ＭＳとのＴＢＦ接続を確立してもよい。
【００１８】
現在のパケットサービスデータの送信が完了したとき、ＴＢＦ接続は即時には解放されず、インアクティブステートに入る。インアクティブステートでは、ＴＢＦ接続はネットワーク側で維持され、いくらかの情報を送信することによって、ＴＢＦ接続が解放されないことを保証する。インアクティブステートがある期間継続後、ＴＢＦ接続を介して送信される必要があるパケットサービスデータがネットワーク側で受信されない場合、ネットワーク側はＴＢＦ接続を解放する。ＴＢＦ接続が解放されるまでのＴＢＦ接続がインアクティブステートにあるこの期間は、遅延解放時間として参照され、この期間内のＴＢＦ接続のステートは、遅延解放ステートとして参照される。
【００１９】
ＴＢＦ接続はダウンリンク（downlink）ＴＢＦ接続と、アップリンク（uplink）ＴＢＦ接続に分類される。ダウンリンクＴＢＦ接続は、それを介してパケットサービスデータがネットワーク側からＭＳへ送信されるＴＢＦ接続であり、アップリンクＴＢＦ接続は、それを介してパケットサービスデータがＭＳからネットワーク側へ送信されるＴＢＦ接続である。
【００２０】
この実施形態において、所定の条件は、セルネットワーク負荷に基づいて考慮されてもよく、パケットサービスの種類に基づいて考慮されてもよく、またセルネットワーク負荷およびパケットサービスの種類の２つの組み合わせに基づいて考慮されてもよい。もちろん、その他の条件が遅延解放時間の決定の基礎として使用されてもよく、本実施形態はこれに限定されない。
【００２１】
セルネットワーク負荷がより軽い場合、より長い遅延解放時間が設定されてもよく、ネットワークの負荷がより重い場合、より短い遅延解放時間が設定されてもよい。それによりシステムリソースがより効率的に使用される。
【００２２】
セルネットワーク負荷は、単位チャネルに関連するＴＢＦの最大数に対する、セルの単位チャネルに実際に関連するＴＢＦの数のパーセンテージによって表現されてもよい。もちろん、その他の要因がセルネットワーク負荷を決定するための条件として使用されてもよく、本実施形態はこれに限定されない。
【００２３】
パケットサービスの種類はインスタントメッセージ（Instant Message： ＩＭ）サービスであってもよい。例えば、ＱＱ、Ｆｅｔｉｏｎ、およびＭＳＮのようなＩＭチャットツールのサービスであってもよい。または、ＨＴＴＰサービス、もしくはＷＡＰサービスのようなワールドワイドウェブ（World Wide Web）サービスであってもよい。または、オンラインビデオサービスもしくはオンラインボイスサービスのようなオンラインストリーミングサービスであってもよい。または、ファイル転送プロトコル（File Transfer Protocol：ＦＴＰ）サービスであってもよい。
【００２４】
前記パケットサービスの種類はＰＤＵに従って、例えば、ＰＤＵ内で搬送されるポート番号、またはパケットサービスが確立されたときのＱｏＳ（Quality of Service）情報に従って取得されてもよい。
【００２５】
Ｓ１０３：ＴＢＦ接続を介したデータ送信の完了時にＴＢＦ接続を遅延解放ステートに入れる。
【００２６】
ネットワーク側の現在のデータがダウンリンクＴＢＦ接続を介してＭＳに送信された場合、ダウンリンクＴＢＦ接続は遅延解放モードに設定され、ＭＳはＴＢＦ接続が遅延解放ステートに入ることを命令される。
【００２７】
代替方法として、ＭＳがアップリンクＴＢＦ接続を介してネットワーク側へのデータを送信を完了する場合、ネットワーク側はアップリンクＴＢＦ接続を遅延解放モードに設定する。ＭＳによって送信されたアップリンクデータブロック内で搬送された情報に従って、ネットワーク側はこれ以上のデータがＭＳから送信される必要があるかどうかを決定してもよい。
【００２８】
Ｓ１０５：ＴＢＦ接続の遅延解放ステートの継続時間がｔに達した場合、ネットワーク側はＴＢＦ接続を解放する。
【００２９】
例えば、ＴＢＦ接続はダウンリンクＴＢＦ接続であってもよい。ネットワーク側がコアネットワークによってフォワードされたパケットサービスデータをまだ受信していない場合、ダウンリンクＴＢＦ接続に対応するバッファは空（empty）である。時間ｔの経過後、バッファが空のままである場合、ネットワーク側はダウンリンクＴＢＦ接続を解放する。
【００３０】
代替方法として、ＴＢＦ接続はアップリンクＴＢＦ接続であってもよい。ネットワーク側がある期間内でＭＳに送信されたパケットサービスデータを未受信である場合、ネットワーク側はアップリンクＴＢＦ接続を解放する。
【００３１】
例として、ネットワーク側は基地局（base station）および基地局コントローラによって形成されてもよく、前述の実施形態における遂行者は、基地局コントローラであってもよい。
【００３２】
例えば、ダウンリンクＴＢＦ接続が解放されたとき、ＭＳにダウンリンクＴＢＦ接続が解放するように命令し、ＭＳからの応答受信後、ＴＢＦに接続によって占有されたリソースを解放するように基地局に命令するために、基地局コントローラは最終ブロック指示子（Final Block Indicator：ＦＢＩ）が１である無線リンク制御（Radio Link Control）データブロックをＭＳに送信してもよい。
【００３３】
代替方法として、アップリンクＴＢＦ接続が解放されたとき、ネットワーク側が時間間隔ｔ以内にアップリンクＴＢＦ接続を介してＭＳによって送信されたパケットサービスデータを受信しない場合、ネットワーク側は能動的にアップリンク接続を解放する。
【００３４】
本実施形態において提供される方法の使用によって、異なる遅延解放時間が異なる条件に従って設定されてもよい。その結果、ネットワークの実際の要求を満足し、ネットワークリソースをより効率的に使用することができる。
【００３５】
図２を参照すると、ＴＢＦ接続の遅延解放方法が他の実施形態で提供される。本実施形態において、所定の条件がパケットサービスの種類に基づいて考慮されてもよい。本実施形態で提供される本方法は、以下のステップを含む。
【００３６】
ステップ２０１：ネットワーク側はＭＳとのＴＢＦ接続を確立し、パケットサービスデータを送信する。
【００３７】
ＴＢＦ接続はアップリンク接続であってもよく、またダウンリンクＴＢＦ接続であってもよい。ＴＢＦ接続の確立はネットワーク側によって能動的に開始されてもよく、ネットワーク側はＭＳからの要求を受信したときにＴＢＦ接続を確立してもよい。
【００３８】
ステップ２０３：ネットワーク側はＴＢＦ接続が担うパケットサービスの種類を確認する。
【００３９】
ステップ２０５：ネットワーク側は確認したサービスの種類に従ってＴＢＦ接続のための対応する遅延解放時間を設定する。
【００４０】
パケットサービスの種類と遅延解放時間との間の対応関係の表がネットワーク側で構成されてもよい。異なるサービスの種類は異なる遅延解放時間に対応してもよい。以下の表に例を示す。
【表１】
0005626818.tif 000002
【００４１】
例として、ＴＢＦ接続がＱＱサービスを担う場合、ＴＢＦ接続の遅延解放時間は０．５秒に設定され、ＴＢＦ接続がＨＴＴＰサービスを担う場合、ＴＢＦ接続の遅延解放時間は、０．５秒に設定される。ＴＢＦ接続が複数のサービスを担う場合、最長の遅延解放時間が選択されてもよい。
【００４２】
ステップ２０６：ネットワーク側およびＭＳはＴＢＦ接続を介してパケットサービスデータを送信する。
【００４３】
ＴＢＦ接続がアップリンクＴＢＦ接続の場合、ＭＳはアップリンクＴＢＦ接続を介してネットワーク側にパケットサービスを送信する。
【００４４】
ＴＢＦ接続がダウンリンクＴＢＦ接続の場合、ネットワーク側はダウンリンクＴＢＦ接続を介してＭＳにパケットサービスを送信する。
【００４５】
ステップ２０７：パケットサービスデータの送信完了後、ＴＢＦ接続を遅延解放ステートに入れ、ステップ２０３で設定された遅延解放時間の経過を待つ。
【００４６】
例えば、ダウンリンクＴＢＦ接続のために、ＴＢＦに対応するバッファに従って、ネットワーク側はデータ送信が完了したかどうかを決定してもよい。そしてアップリンクＴＢＦ接続のために、ＭＳによって報告されたカウントダウン値ＣＶ（Countdown Value）に従って、ＭＳのデータの送信が完了したかどうかを決定してもよい。
【００４７】
ネットワーク側がパケットサービスの送信の完了を決定したとき、タイマが開始され、タイマのタイムアウトの閾値が遅延解放時間として設定されてもよい。タイマがタイムアウトしたとき、遅延解放時間が経過したことを示す。
【００４８】
ステップ２０９：ネットワーク側のウェイト後、ＴＢＦ接続に新しいデータが到着していない場合、ネットワーク側はＴＢＦ接続の解放を開始する。
【００４９】
ダウンリンクＴＢＦ接続を例として挙げる。ネットワーク側はタイマのタイムアウトを待つ。タイマのタイムアウト時にＴＢＦ接続のバッファに依然データがない場合、ネットワーク側はＴＢＦ接続の解放を開始し、ＦＢＩが１にセットされたＲＬＣデータブロックをＭＳに送信し、ＭＳから応答受信後、ＴＢＦ接続によって占有されたネットワークリソースを解放する。
【００５０】
アップリンク接続のために、タイマのタイムアウト時に、ネットワーク側がＭＳによって送信されたデータを未だ受信していない、またはＭＳによって送信される必要があるデータ情報を取得していない場合、パケットアップリンクの承認／非承認（PACKET UPLINK ACK/NACK）メッセージがＭＳに送信されてもよい。ここで前記メッセージ内で搬送された最終承認指示子（Final Acknowledgment Indicator： FAI）は１にセットされ、ＭＳはＴＢＦ接続およびＴＢＦ接続によって占有されたネットワークリソースを解放するように命令される。
【００５１】
本実施形態において提供される方法の使用によって、異なる遅延解放時間がＴＢＦ接続が担う異なるサービスに従って設定されてもよい。その結果、ネットワークリソースはより効率的に使用され、それによりリソースの利用効率を改善する。
【００５２】
さらに、本実施形態において提供される方法は、データ送信処理において、ＴＢＦ接続が担うパケットサービスの種類が変更するかどうか確認するステップ２１１をさらに含んでもよい。変更した場合、ステップ２０５が実行され、ＴＢＦ接続の遅延解放時間がＴＢＦ接続が担うパケットサービスの種類に従ってリセットされる。
【００５３】
例えば、ＴＢＦ接続が、ＱＱサービスとＨＴＴＰサービスを同時に担う場合、ＴＢＦ接続の遅延解放時間は０．５秒に設定される。そして、ＱＱサービスを終了するための命令のメッセージを上位レイヤから受信したとき、ＴＢＦ接続の遅延解放時間は０．２秒に設定される。
【００５４】
本実施形態において提供される方法の使用によって、遅延解放時間はＴＢＦ接続が実際に担うパケットサービスの条件に従って動的に設定されてもよく、それによりネットワークリソースはより効率的に使用される。
【００５５】
図３は、他の実施形態に従ったＴＢＦ接続の遅延解放方法の模式的なフローチャートである。本方法は以下のステップを含む。
【００５６】
ステップ３０１：ネットワーク側は、ＭＳとのＴＢＦ接続を確立し、パケットサービスデータを送信する。
【００５７】
ＴＢＦ接続はアップリンクＴＢＦ接続であってもよく、またダウンリンクＴＢＦ接続であってもよい。
【００５８】
ステップ３０３：ネットワーク側はセルネットワーク負荷を確認する。
【００５９】
ステップ３０５：ネットワーク側は確認したセルネットワーク負荷に従って前記ＴＢＦ接続のための遅延解放時間を設定する。
【００６０】
異なるセルネットワーク負荷が異なる遅延解放時間に対応してもよい。負荷が重い場合、遅延解放時間は短い。負荷が軽い場合、遅延解放時間は長い。以下に例を示す。
【表２】
0005626818.tif 000003
【００６１】
「０秒」とはデータ送信完了時にＴＢＦ接続が即時に解放されることを示す。セルネットワーク負荷はパケットチャネルの多重度（multiplexing degree）に従って測定されてもよい。
【００６２】
例えば、セルネットワーク負荷はパケットチャネルで多重化されたＴＢＦ接続数をパケットチャネルで実際に多重化可能なＴＢＦ接続の最大数で割ることによって取得されてもよい。
【００６３】
ステップ３０６：ネットワーク側およびＭＳはＴＢＦ接続を介してパケットサービスデータを送信する。
【００６４】
ステップ３０７：パケットサービスデータの送信完了後、ＴＢＦ接続を遅延解放ステートに入れ、ステップ３０５で設定された遅延解放時間の経過を待つ。
【００６５】
パケットサービスデータの送信完了後、ネットワーク側はＴＢＦ接続を遅延解放ステートに設定し、遅延解放時間の経過を待つ。
【００６６】
ステップ３０９：ネットワーク側のウェイト後、ＴＢＦ接続で新しいデータが到着していない場合、ネットワーク側はＴＢＦ接続の解放を開始する。
【００６７】
本実施形態において提供される方法の使用によって、異なる遅延解放時間が異なるネットワーク負荷に従って設定されてもよい。その結果、ネットワークリソースは効率的に使用される。
【００６８】
さらに、本実施形態において提供される方法はデータ送信処理において、セルネットワーク負荷が変更したかどうかを確認するステップ３１１をさらに含んでもよい。変更が発生した場合、ステップ３０５が実行され、ＴＢＦ接続の遅延解放時間は変更したセルネットワーク負荷に従ってリセットされる。
【００６９】
図４は、他の実施形態に従ったＴＢＦの遅延解放方法の模式的なフローチャートである。本方法は以下のステップを含む。
【００７０】
ステップ４０１：ネットワーク側はＭＳとのＴＢＦ接続を確立し、パケットサービスデータを送信する。
【００７１】
ステップ４０３：ネットワーク側はセルネットワーク負荷およびパケットサービスの種類を確認する。
【００７２】
ステップ４０５：ネットワーク側は確認したセルネットワーク負荷およびパケットサービスの種類に従って前記ＴＢＦ接続のための遅延解放時間を設定する。
【００７３】
異なるセルネットワーク負荷が対応する異なる遅延解放時間に対応する。負荷が重い場合、遅延解放時間は短い。負荷が軽い場合、遅延解放時間は長い。さらに、異なるパケットサービスは異なる遅延に対する要求を有する。例えば、インスタントメッセージサービスのための遅延はより長くてもよく、一方ＨＴＴＰサービスのための遅延はより短いほうがよい。
【００７４】
下記に例を示す。
【表３】
0005626818.tif 000004
【００７５】
ステップ４０６：ネットワーク側およびＭＳはＴＢＦ接続を介してパケットサービスデータを送信する。
【００７６】
ステップ４０７：パケットサービスデータの送信完了後、ステップ４０５で設定された遅延解放時間の経過を待つ。
【００７７】
ステップ４０９：ネットワーク側のウェイト後、ＴＢＦ接続で新しいデータが到着していない場合、ネットワーク側はＴＢＦ接続の解放を開始する。
【００７８】
本実施形態において提供される方法の使用によって、異なる遅延解放時間が異なるネットワークの負荷および異なるサービスデータの種類に従って設定されてもよい。その結果、ネットワークリソースはより効率的に使用される。
【００７９】
さらに、本実施形態において提供される方法は、ステップ４０５の後のデータ送信処理において、セルネットワーク負荷またはパケットサービスの種類が変更したかどうかを確認するステップ４１１をさらに含んでもよい。変更が発生した場合、ステップ４０５が再実行され、前記表が探索され、ＴＢＦ接続の遅延解放時間は変更したセルネットワーク負荷またはパケットサービスの種類に従ってリセットされる。
【００８０】
本実施形態において提供される方法の使用によって、異なる遅延解放時間がネットワークセルおよびパケットサービスの種類に従ってＴＢＦ接続のために設定されてもよい。その結果、ネットワークリソースは効率的に使用される。
【００８１】
図５を参照すると、図５は、一実施形態に従った一時ブロックフローＴＢＦの遅延解放装置の模式的なブロック図である。本実施形態において提供される装置は、上記の方法の実施形態を実行するように構成されてもよく、設定モジュール５０１、ステートモジュール５０２、解放モジュール５０３を備える。
【００８２】
設定モジュール５０１は、ＴＢＦ接続が所定の条件を満足した場合、ＴＢＦ接続の遅延解放時間として前記条件に対応する遅延解放時間ｔを設定するように構成される。異なる条件は異なる遅延解放時間に対応する。
【００８３】
ＴＢＦ接続の確立時、設定モジュール５０１はＴＢＦ接続が所定の条件を満足するかどうかを確認し、前記条件に対応する遅延解放時間ｔを決定し、ダウンリンクＴＢＦ接続の遅延解放時間として前記時間ｔを設定する。
【００８４】
所定の条件は、セルネットワーク負荷、パケットサービスの種類、またはそれら２つの組み合わせであってもよい。
【００８５】
ステートモジュール５０２は、ＴＢＦ接続を通じたデータ送信完了後、ＴＢＦ接続を遅延解放ステートに入れるように構成される。
【００８６】
例えば、ダウンリンクデータの送信完了後、ネットワーク側はＴＢＦ接続を遅延解放ステートに設定し、ＭＳにＴＢＦ接続が遅延解放ステートに入ろうとしていることを通知する。
【００８７】
解放モジュール５０３は、ＴＢＦ接続の遅延解放ステートの継続時間がｔに達した場合、前記ＴＢＦ接続を解放するように構成される。
【００８８】
例えば、ＴＢＦ接続がダウンリンクＴＢＦ接続の場合、解放モジュール５０３はダウンリンクＴＢＦ接続を介してダウンリンク無線リンク制御ＲＬＣデータブロックを移動端末ＭＳに送信してもよい。ここで前記ＲＬＣデータブロックの最終ブロック指示子ＦＢＩは１である。ＭＳからの応答を受信後、ダウンリンクＴＢＦ接続によって占有された無線リソースを解放する。
【００８９】
代替方法として、ＴＢＦ接続がアップリンクＴＢＦ接続の場合、前記解放モジュール５０３はＭＳにPACKET UPLINK ACK/NACKメッセージを送信してもよい。ここで前記メッセージ内で搬送されたＦＡＩは１にセットされ、ＴＢＦ接続およびＴＢＦ接続によって占有されたネットワークリソースを解放する解放するようにＭＳに命令する。
【００９０】
さらに、本実施形態において提供される装置において、設定モジュール５０１は、ＴＢＦ接続が変更条件を満足する場合、変更された条件に従ってＴＢＦ接続の遅延解放時間を設定するようにさらに構成されてもよい。
【００９１】
例えば、前記条件がセルネットワーク負荷を含む場合、セルネットワーク負荷の変更後、設定モジュール５０１は変更されたセルネットワーク負荷に従ってＴＢＦ接続の遅延解放時間ｔを変更する。
【００９２】
代替方法として、前記条件がパケットサービスの種類を含む場合、ＴＢＦが担うパケットサービスの種類の変更後、設定モジュール５０１は変更されたパケットサービスの種類に従ってＴＢＦ接続の遅延解放時間ｔを変更する。
【００９３】
もちろん、前記条件は他のいくつかの条件を含んでもよく、それらは上述の例に限定されない。
【００９４】
上述の実施形態において提供される装置の使用によって、異なる遅延解放時間が異なる条件に従ってＴＢＦ接続に対して設定されてもよい。その結果、ネットワークリソースは効率的に使用される。
【００９５】
本実施形態において提供される装置は、基地局コントローラまたは無線ネットワークコントローラであってもよい。
【００９６】
上述において開示された実施形態において説明した本方法のステップまたはアルゴリズムは、ハードウェアを使用して直接実行されてもよく、プロセッサによって実行されるソフトウェアモジュール、またはそれら２つの組み合わせで実行されてもよい。前記ソフトウェアモジュールは、ランダムアクセスメモリ（ＲＡＭ）、メモリ、リードオンリーメモリ（ＲＯＭ）、ＥＰＲＯＭ、ＥＥＰＲＯＭ、レジスタ、ハードディスク、着脱可能な磁気ディスク、ＣＤ−ＲＯＭ、または当業者に知られた他の形態のいかなるストレージメディアに配置されてもよい。
【００９７】
上記の説明は本発明の単なる例示であり、本発明を制限する意図ではない。本発明の精神および原則から外れることなくなされた、いかなる変形、等価な置換、および改良は本発明の保護範囲内に含まれるべきである。
【符号の説明】
【００９８】
５０１  設定モジュール
５０２  ステートモジュール
５０３  解放モジュール
【図１】
0005626818.tif 000005
【図２】
0005626818.tif 000006
【図３】
0005626818.tif 000007
【図４】
0005626818.tif 000008
【図５】
0005626818.tif 000009